(57)【要約】      （修正有）【課題】トップクリアランスの確保が容易であるとともに、かご上の作業スペースを自由度大きく設定可能なエレベータの冷房装置を提供する。【解決手段】圧縮空気を生成する圧縮機２５２と、圧縮空気を冷却する熱交換機２５３と、この熱交換機２５３で冷却された圧縮空気を膨張させる膨張機２５４と、この膨張機２５４で膨張された圧縮空気を送風する送風機と、この送風機で送風される膨張された圧縮空気をかご室１ｂ内に誘導する吹き出し用ダクト２６とを具備し、送風機を、吹き出し用ダクト２６のかご室１ｂ側開口部に設けた。このように、送風機を、吹き出し用ダクト２６のかご室１ｂ側開口部に設けたので、冷房機本体２５側の容積の縮小と重量軽減が可能であり、トップクリアランスの確保が容易となるとともに、冷房機本体２５の設置場所に大きな自由度を得て、作業性の良いスペースをかご上に設定できる。【選択図】図１
2006160489.tif 000002
【特許請求の範囲】
【請求項１】
圧縮空気を生成する圧縮機と、この圧縮機で生成された圧縮空気を冷却する熱交換機と、この熱交換機で冷却された前記圧縮空気を膨張させる膨張機と、この膨張機で膨張された前記圧縮空気を送風する送風機と、この送風機で送風される前記膨張された圧縮空気を前記かご室内に誘導する吹き出し用ダクトとを具備してかご室上に設置された冷房機と、前記圧縮機を制御する制御器とを備えたエレベータの冷房装置であって、
前記送風機は、前記吹き出し用ダクトのかご室側開口部に設けられたことを特徴とするエレベータの冷房装置。
【請求項２】
前記制御器は、前記かご室のかご内操作盤に設けられたことを特徴とする請求項１に記載のエレベータの冷房装置。
【請求項３】
前記吹き出し用ダクトは、分岐により、前記かご室に向けて複数個の吹き出し口を有し、
前記送風機は、前記複数個の吹き出し口の各開口部にそれぞれ設けられたことを特徴とする請求項１または請求項２に記載のエレベータの冷房装置。
【発明の詳細な説明】
【技術分野】
【０００１】
本発明は、冷房機をかご上に設置したエレベータの冷房装置の改良に関する。
【背景技術】
【０００２】
エレベータの乗客が、気温が高く蒸し暑い夏でも快適に利用できるように乗りかごには冷房装置が据え付けられる。
【０００３】
冷房装置にはいろいろな方式があるが、図５は、空気冷凍サイクル方式の従来の冷房装置をロープ式エレベータのかご上に設置した状態を示した斜視図で、図６はその平面図である。
【０００４】
図５及び図６に示したように、エレベータの冷房装置は、かご１の上枠１ａ上に据え付けられた冷房機本体２１と、この冷房機本体２１で生成された冷風をかご１のかご室１ｂ内まで誘導する吹き出し用ダクト２２と、マイコンを搭載して冷房機本体２１を駆動制御する制御器２３（図５に示す）とで構成されている。
【０００５】
冷房機本体２１は、箱状の筐体２１１内に、圧縮空気を生成する圧縮機（コンプレッサ）２１２と、この圧縮機２１２で生成された圧縮空気を冷却する熱交換機２１３と、この熱交換機２１３で冷却された圧縮空気を膨張させる膨張機２１４と、この膨張機２１４で膨張された圧縮空気を前記吹き出し用ダクト２２内に送り出す送風機２１５とを収納して構成されている。
【０００６】
なお、図５及び図６に示した冷房装置では、圧縮機２１２とかご室１ｂ内との間に吸い込み用ダクト２４を連結し、圧縮機２１２は、かご室１ｂ内の暖かい空気を取り込んで圧縮空気を生成するように構成されている。
【０００７】
また、図５及び図６において、冷房機本体２１を載置した上枠１ａは、ヒッチプレート１ｃを介して主ロープ３に連結されるとともに、主ロープ３の他端部は不図示の巻上機を介してカウンタウエイトに連結され、かご１の上枠１ａは、図示左右端部で縦枠１ｄと連結固定され、かご室１ｂは、その縦枠１ｄの下端部間に差し渡された下枠に支持されている。
【０００８】
上記構成により、巻上機に駆動されるかご１は、ガイドシュー１ｅを介して、ガイドレール４に案内されて、つるべ式に昇降路内を昇降移動する。
【０００９】
なお、図５及び図６に示した従来のエレベータの冷房装置は、送風機２１５が冷房機本体２１内に組み込まれていることもあって、熱交換機２１３とともに剛性の大きな上枠１ａ上に据え付けられており、また冷房機本体２１の中に比較的重量の大きな圧縮機２１２を含むことからかご１の総重量は大となり巻上機の負担も大きくなる。
【００１０】
そこで、圧縮機２１２等を機械室内に設置して、かご１の総重量の軽減を図ったエレベータの冷房装置も提案されている（例えば、特許文献１参照。）。
【００１１】
かご１の総重量を軽減するために、冷房機の構成を分割し、圧縮機等を機械室側に据え付けた場合は、機械室とかごとの間に長大なフレキシブル配管を連結する必要があり構成の複雑さは避けられない。
【特許文献１】特開平１０−２３１０７９号公報
【発明の開示】
【発明が解決しようとする課題】
【００１２】
従来のエレベータの冷房装置において、かご上に冷房装置一式を搭載した場合は、冷房機の構成を分割して圧縮機等を機械室側に据え付けた場合とは異なり、かごと機械室との間にフレキシブル配管を必要としないので構成の複雑さは避けられる。しかしながら、大きな容積の冷房機本体２１を上枠１ａ上に載置したことにより、昇降移動するかご１と昇降路天井との間に規定されたいわゆるトップクリアランス（ＴＣ：頂部隙間）の確保が容易でなくなるという欠点があった。
【００１３】
またかご上は、エレベータの保守点検や修理を必要としたとき、作業員が上がって作業する作業場所であり、また点検修理用の工具や器具の収納箱等の設置場所でもあるので、かご上に冷房装置一式を搭載した従来のエレベータの冷房装置では、送風機２１５等を収納して大きな容積の筐体２１１が高い位置で作業空間を占拠する形となり、作業員の作業性を著しく低下させたので改善が要望されていた。
【００１４】
そこで、本発明は、ロープ式エレベータにおいてトップクリアランスの確保が容易であるとともに、かご上において、作業員の作業スペースを自由度大きく形成可能なエレベータの冷房装置を提供することを目的とする。
【課題を解決するための手段】
【００１５】
本発明は、圧縮空気を生成する圧縮機と、この圧縮機で生成された圧縮空気を冷却する熱交換機と、この熱交換機で冷却された前記圧縮空気を膨張させる膨張機と、この膨張機で膨張された前記圧縮空気を送風する送風機と、この送風機で送風される前記膨張された圧縮空気を前記かご室内に誘導する吹き出し用ダクトとを具備してかご室上に設置された冷房機と、前記圧縮機を制御する制御器とを備えたエレベータの冷房装置であって、前記送風機は、前記吹き出し用ダクトのかご室側開口部に設けられたことを特徴とする。
【発明の効果】
【００１６】
本発明に係るエレベータの冷房装置は、かご室内に冷風を送り込むための送風機を、吹き出し用ダクトのかご室側開口部に設けたので、冷房機本体側の容積の縮小と重量軽減が可能である。
【００１７】
また、送風機を吹き出し用ダクトのかご室側開口部に設けたので、冷房機本体を高さが低く面積が広いかご室上に直接設置することができる。従って、トップクリアランスの確保が容易となるとともに、冷房機本体の設置場所の選定に大きな自由度が得られて、作業員の作業性の良いスペースをかご上に設定できる。
【発明を実施するための最良の形態】
【００１８】
以下、本発明によるエレベータの冷房装置の一実施例を図１ないし図４を参照して詳細に説明する。なお、図５及び図６に示した従来のエレベータの冷房装置と同一構成には同一符号を付して詳細な説明は省略する。
【００１９】
図１ないし図３は、空気冷凍サイクルを採用した本発明のエレベータの冷房装置の第１の実施例を示したもので、図１はかご上に設置されたエレベータの冷房装置の要部斜視図、図２はその平面図、図３は図２のＡ−Ａ矢視断面図である。
【００２０】
第１の実施例のエレベータの冷房装置は、図１ないし図３に示したように、かご１のかご室１ｂ上に設置された冷房機本体２５と、この冷房機本体２５で生成された冷風をかご１のかご室１ｂ内まで誘導する吹き出し用ダクト２６と、マイコンを搭載し、配線２３ａを介して冷房機本体２５等と接続され、冷房機本体２５はもとより冷房装置全体を統括制御する制御器２３とで構成されている。
【００２１】
冷房機本体２５は、箱状の筐体２５１内に、圧縮空気を生成する圧縮機（コンプレッサ）２５２と、この圧縮機２５２で生成された圧縮空気を冷却する熱交換機２５３と、この熱交換機２５３で冷却された圧縮空気を膨張させる膨張機２５４とで構成されている。
【００２２】
そして、膨張機２５４に連結された吹き出し用ダクト２６は、図２に示したように、かご室１ｂ内に向けて複数個（この実施例では４個）に分岐された吹き出し口２６ａ，２６ｂ，２６ｃ，２６ｄを有していて、各吹き出し口２６ａ，２６ｂ，２６ｃ，２６ｄのかご室１ｂ内に向けて直方体状に形成された開口部内には、図３に矢印Ｙ１で示した方向に送風するシロッコファンからなる小型の送風機２６ａａ，２６ｂａ，２６ｃａ，２６ｄａが設置されている。
【００２３】
また、この実施例におけるエレベータの冷房装置は、吸い込み用ダクト２４の吸い込み口２４ａを、かご室１ｂに向けて直方体状に開口する開口部を形成し、その開口部内にシロッコファンからなる送風機２４ａａを組み込んだので、送風機２４ａａはかご室１ｂ内の暖かい空気を図３に矢印Ｙ２で示した方向へと吸い上げ、吸い込み用ダクト２４を介して圧縮機２５２に供給する。
【００２４】
圧縮機２５２において圧縮され高温高圧となった空気（圧縮空気）は熱交換機２５３により冷却されて膨張機２５４に供給されるが、この実施例の熱交換機２５３は空冷式で、図２に示したようにファン２５３ａを有している。
【００２５】
熱交換機２５３では、空気冷却により凝縮水（ドレン水）が発生するが、熱交換機２５３の下方にはドレンパン（ｄｒａｉｎ  ｐａｎ）２５５が設置され、ドレンパン２５５内に溜まった凝縮水は、図１及び図２に示したように、配水管２５５ａを介して散水皿２５６に流れ、散水皿２５６に設けられた散水ファン２５６ａにより凝縮水は霧状となって昇降路内に散布されるように構成されている。
【００２６】
なお、図３において、符号５は、かご室１ｂ内の天井に据え付けられた照明器具を示したものである。
【００２７】
上記構成からなるこの第１の実施例に係るエレベータの冷房装置によれば、冷房機本体２５は上枠１ａ上に設置することなく、かご室１ｂ上に直接配置されたので、冷房装置全体の高さは低く押さえられ、良好なトップクリアランスを形成することができる。
【００２８】
また、この第１の実施例のエレベータの冷房装置は、冷房機本体２５は面積の広いかご室１ｂ上に設置されたので、冷房機本体２５の設置場所の選定に大きな自由度が得られることから、かご上に作業性の良い作業スペースを形成できる。
【００２９】
また、この第１の実施例のエレベータの冷房装置は、冷風吹き出し用の送風機２６ａａ，２６ｂａ，２６ｃａ，２６ｄａを冷房機本体２５側に設けることなく、かご室１ｂ内に向けて複数個に分岐させた吹き出し用ダクト２６の各吹き出し口２６ａ，２６ｂ，２６ｃ，２６ｄの開口部内に設けたので、各送風機２６ａａ，２６ｂａ，２６ｃａ，２６ｄａは小型で済み、騒音発生を抑制できる。
【００３０】
なお、この第１の実施例では、吹き出し用ダクト２６をかご室１ｂ側で４分岐させたが、分岐数は任意に選択して良く、また場合によっては、分岐させることなく吹き出し用ダクト２６をそのままかご室１ｂ内に向けて開口させるように構成しても良い。また、吸い込み用ダクト２４はかご室１ｂ内に開口する吸い込み口２４ａを１個設けて、その中に１個の送風機２４ａａを組み込み配置したが、吹き出し用ダクト２６と同様に、かご室１ｂ側を複数個に分岐させて、各吸い込み口にそれぞれ小型の送風機を組み込み配置させても良い。
【００３１】
上記第１の実施例では、制御器２３をかご室１ｂの上に設置したが、制御器２３と冷房機本体２１等とは配線２３ａで接続されれば良いので、かご室１ｂの上ではなく、かご室１ｂ内のかご内制御盤に取り付けることができる。
【００３２】
図４は制御器２３をかご内制御盤に取り付けた本発明に係るエレベータの冷房装置の第２の実施例を示した要部斜視図である。なお、この第２の実施例に係るエレベータの冷房装置は、上記第１の実施例のエレベータの冷房装置と対比して、制御器２３の据え付け場所が異なるのみで、他の構成は第１の実施例と同様であるので、第１の実施例と同一構成には同一符号を付して詳細な説明は省略する。
【００３３】
すなわち、この第２の実施例では、かごドア１ｆ側の内側側壁に、点線で示したようにかご内制御盤６が設置されており、かご内制御盤６内の上方に制御器２３が収納されて構成されている。
【００３４】
このように、第２の実施例では、制御器２３をかご内制御盤６内に取り付けたので、作業員はかご室１ｂ内において、かご内制御盤６の扉を開け、制御器２３を点検することが可能であり、第１の実施例における作用に加えて、エレベータの保守点検作業を安全かつ効率良く行うことができる特徴がある。
【００３５】
いずれにしても、第１及び第２の各実施例に係るエレベータの冷房装置によれば、冷風をかご室内に送り込むための送風機を吹き出し用ダクトのかご室側空間に設けたので、冷房機本体容積の縮小と重量軽減が可能であるとともに、冷房機本体をより低位位置で広い面積のかご室上に直接設置して、トップクリアランスの確保が容易で、かご上に作業性の良い作業スペースを形成できる。
【図面の簡単な説明】
【００３６】
【図１】本発明に係る第１の実施例のエレベータの冷房装置をエレベータのかご上に設置した状態を示した斜視図である。
【図２】図１に示した本発明によるエレベータの冷房装置の平面図である。
【図３】図２においてＡ−Ａ矢視断面図である。
【図４】本発明に係る第２の実施例のエレベータの冷房装置をエレベータのかご上に設置した状態を示した斜視図である。
【図５】従来のエレベータの冷房装置がエレベータのかご上に設置された状態を示した斜視図である。
【図６】図５に示したエレベータの冷房装置の平面図である。
【符号の説明】
【００３７】
１  かご
１ａ  上枠
１ｂ  かご室
２１  冷房機本体
２１１  筐体
２１２  圧縮機（コンプレッサ）
２１３  熱交換機
２１４  膨張機
２１５  送風機
２２  吹き出し用ダクト
２３  制御器
２３ａ  配線
２４  吸い込み用ダクト
２４ａ  吸い込み口
２４ａａ  送風機
２５  冷房機本体
２５１  筐体
２５２  圧縮機（コンプレッサ）
２５３  熱交換機
２５３ａ  ファン
２５４  膨張機
２５５  ドレンパン
２５５ａ  配水管
２５６  散水皿
２５６ａ  散水ファン
２６  吹き出し用ダクト
２６ａ，２６ｂ，２６ｃ，２６ｄ  吹き出し口
２６ａａ，２６ｂａ，２６ｃａ，２６ｄａ  送風機
３  主ロープ
４  ガイドレール
５  照明器具
６  かご内制御盤
【図１】
2006160489.tif 000003
【図２】
2006160489.tif 000004
【図３】
2006160489.tif 000005
【図４】
2006160489.tif 000006
【図５】
2006160489.tif 000007
【図６】
2006160489.tif 000008